(57)【特許請求の範囲】
【請求項１】
物品を支持する底体と、底体の側方に配設された側体と、側体に開閉自在に設けられた扉体とを有し、上記扉体を開いて、物品収納部へ物品を出し入れする物品収納具であって、
上記側体と扉体とはそれぞれ複数の縦部材と横部材とで構成され、
上記扉体はヒンジ体を介して側体に取付けられ、
上記ヒンジ体は第１円筒部と第２円筒部とを有し、
上記第１円筒部は、側体の縦部材に、水平回動自在に外嵌され、
上記第２円筒部は、扉体の縦部材に、水平回動自在に外嵌され、
上記第１円筒部の長手方向の端部に第１切欠部が形成され、
上記第２円筒部の長手方向の端部に第２切欠部が形成され、
上記側体の横部材が上記第１切欠部に嵌入して側体に対するヒンジ体の水平回動範囲を規制し、
上記扉体の横部材が上記第２切欠部に嵌入してヒンジ体に対する扉体の水平回動範囲を規制することを特徴とする物品収納具。
【請求項２】
ヒンジ体は、第１および第２円筒部の両軸心を含む断面に添って、一方の本体部と他方の本体部とに分割され、
上記一方の本体部と他方の本体部との一端部同士が開閉自在に一体につながっており、
上記一方の本体部と他方の本体部との他端部同士を閉じることによって第１および第２円筒部が形成され、
上記一方の本体部と他方の本体部との他端部同士を閉じた状態で固定する固定具が設けられていることを特徴とする請求項１記載の物品収納具。
【発明の詳細な説明】
【０００１】
【発明の属する技術分野】
本発明は、扉体を開いて、物品収納部へ物品を出し入れする形式の物品収納具に関するものである。
【０００２】
【従来の技術】
従来、この種の物品収納具としては例えば実公平３−１３４０号公報が挙げられる。すなわち、扉がヒンジ体を介して開閉自在に扉取付部に取付けられている。上記扉は外枠にネットを張った枠板状に構成されている。また、上記ヒンジ体は一方のヒンジ金具と他方のヒンジ金具とに分割され、これら両ヒンジ金具は止着具によって連結されている。
【０００３】
上記ヒンジ体は、扉取付部の取付側軸部に水平回動自在に外嵌される円筒状の一方の軸受部と、扉の扉側軸部に水平回動自在に外嵌される円筒状の他方の軸受部とを有している。上記一方の軸受部の下端には一方の切欠が形成され、他方の軸受部の上端には他方の切欠が形成されている。また、上記取付側軸部の外周面には一方の突起が設けられ、扉側軸部の外周面には他方の突起が設けられている。
【０００４】
そして、上記一方の突起が一方の切欠に嵌入して取付側軸部に対するヒンジ体の水平回動範囲を規制し、さらに、上記他方の突起が他方の切欠に嵌入してヒンジ体に対する扉側軸部の水平回動範囲を規制している。また、上記止着具としては、ボルト，ナットが用いられ、分割された両ヒンジ金具にそれぞれボルト孔が形成されている。
【０００５】
【発明が解決しようとする課題】
上記の従来形式では、水平回動範囲を規制するために、取付側軸部の外周面と扉側軸部の外周面とにそれぞれ小さな突起を特別に設ける必要があるため、製作が面倒で、部品点数も増加してしまうといった問題がある。
【０００６】
また、止着具で一方のヒンジ金具と他方のヒンジ金具とを連結する際、一方のヒンジ金具のボルト孔と他方のヒンジ金具のボルト孔とが位置ずれして、止着具の装着に手間取ってしまい、ヒンジ体の取付けが迅速に行えないといった問題がある。さらに、一方のヒンジ金具と他方のヒンジ金具といった２種類の個々の部品を用いるため、部品の種類が増加した。
【０００７】
本発明は、水平回動範囲を規制するための突起等の特別な規制用付属品が不要であり、また、ヒンジ体の取付けが迅速に行えるとともに部品の種類が少ない物品収納具を提供することを目的とする。
【０００８】
【課題を解決するための手段】
上記問題を解決するために本第１発明における物品収納具は、物品を支持する底体と、底体の側方に配設された側体と、側体に開閉自在に設けられた扉体とを有し、上記扉体を開いて、物品収納部へ物品を出し入れする物品収納具であって、
上記側体と扉体とはそれぞれ複数の縦部材と横部材とで構成され、
上記扉体はヒンジ体を介して側体に取付けられ、
上記ヒンジ体は第１円筒部と第２円筒部とを有し、
上記第１円筒部は、側体の縦部材に、水平回動自在に外嵌され、
上記第２円筒部は、扉体の縦部材に、水平回動自在に外嵌され、
上記第１円筒部の長手方向の端部に第１切欠部が形成され、
上記第２円筒部の長手方向の端部に第２切欠部が形成され、
上記側体の横部材が上記第１切欠部に嵌入して側体に対するヒンジ体の水平回動範囲を規制し、
上記扉体の横部材が上記第２切欠部に嵌入してヒンジ体に対する扉体の水平回動範囲を規制するものである。
【０００９】
これによると、側体を構成する横部材と扉体を構成する横部材とによって、ヒンジ体および扉体の水平回動範囲が規制されるため、上記水平回動範囲を規制するための特別な規制用付属品が不要になる。
【００１０】
本第２発明における物品収納具は、ヒンジ体は、第１および第２円筒部の両軸心を含む断面に添って、一方の本体部と他方の本体部とに分割され、
上記一方の本体部と他方の本体部との一端部同士が開閉自在に一体につながっており、
上記一方の本体部と他方の本体部との他端部同士を閉じることによって第１および第２円筒部が形成され、
上記一方の本体部と他方の本体部との他端部同士を閉じた状態で固定する固定具が設けられているものである。
【００１１】
これによると、一方の本体部の他端部と他方の本体部の他端部とを開いた状態で、これら両本体部間に側体の縦部材と扉体の縦部材とを位置させ、上記両本体部の他端部同士を閉じる。これにより、第１円筒部が側体の縦部材に外嵌されるとともに第２円筒部が扉体の縦部材に外嵌される。そして、固定具で一方の本体部と他方の本体部との他端部同士を閉じた状態で固定することによって、ヒンジ体が取付けられる。
【００１２】
この際、一方の本体部と他方の本体部との一端部同士が一体につながっているため、一方の本体部と他方の本体部とが位置ずれするようなことはなく、したがって、迅速にヒンジ体を取付けることができ、さらに、部品の種類を１種類に減らすことができる。
【００１３】
【発明の実施の形態】
以下、本発明の実施の形態を図１〜図１３に基づいて説明する。
【００１４】
図９〜図１２に示すように、１は物品収納具であり、物品２を支持する底体３と、底体３の左側に配設された左側パネル４（側体の一例）と、底体３の右側に配設された右側パネル５（側体の一例）と、底体３の後側に配設された後側パネル６と、上記左側パネル４に開閉自在に設けられた左側扉パネル７（扉体の一例）と、上記右側パネル５に開閉自在に設けられた右側扉パネル８（扉体の一例）とを有している。これにより、底体３上には、左側パネル４と右側パネル５と後側パネル６と左および右側扉パネル７，８とで囲まれた物品収納部９が形成される。
【００１５】
図１１に示すように、上記左側パネル４は、四角形状の外枠材１０と、この外枠材１０の内側に格子状に設けられた複数の中間横部材１１および中間縦部材１２とで構成されている。また、上記外枠材１０は、上端横部材１３と、下端横部材１４と、これら上および下端横部材１３，１４の前端間に設けられた前端縦部材１５と、上および下端横部材１３，１４の後端間に設けられた後端縦部材１６とで構成されている。
【００１６】
また、右側パネル５も上記左側パネル４と同様に構成されている。
【００１７】
さらに、図９に示すように、上記後側パネル６は、四角形状の外枠材１９と、この外枠材１９の内側に格子状に設けられた複数の中間横部材２０および中間縦部材２１とで構成されている。また、上記外枠材１９は、上端横部材２２と、下端横部材２３と、これら上および下端横部材２２，２３の左端間に設けられた左端縦部材２４と、上および下端横部材２２，２３の右端間に設けられた右端縦部材２５とで構成されている。
【００１８】
上記底体３の後端部は、ヒンジ具（図示せず）を介して、後側パネル６の下端横部材２３に上下回動自在に取付けられている。そして、底体３は、水平姿勢で左側パネル４の下端横部材１４と右側パネル５の下端横部材１４とによって支持され、図１１の仮想線で示すように跳ね上げることによって後側パネル６の前面側へ折り畳まれる。
【００１９】
上記左側パネル４の後端縦部材１６と後側パネル６の左端縦部材２４とは一方の連結具２７を介して連結されている。また、上記右側パネル５の後端縦部材１６と後側パネル６の右端縦部材２５とは他方の連結具２８を介して連結されており、図１３に示すように、右側パネル５は後部縦軸心２９を中心として後側パネル６の前面側へ回動し折畳み可能に構成されている。また、図９に示すように、左側パネル４の下端横部材１４の前端部と右側パネル５の下端横部材１４の前端部と後側パネル６の下端横部材２３の左右両端部とにはそれぞれ、遊転自在な車輪１７（キャスター）が設けられ、これにより、物品収納具１を移動させることができる。
【００２０】
図９，図１０に示すように、上記左側扉パネル７は、四角形状の外枠材３１と、この外枠材３１の内側に格子状に設けられた複数の中間横部材３２および中間縦部材３３とで構成されている。また、上記外枠材３１は、上端横部材３４と、下端横部材３５と、これら上および下端横部材３４，３５の左端間に設けられた基端縦部材３６と、上および下端横部材３４，３５の右端間に設けられた遊端縦部材３７とで構成されている。また、右側扉パネル８も上記左側扉パネル７と同一に構成されている。
【００２１】
上記左側扉パネル７は上下一対のヒンジ体３８ａ，３８ｂを介して左側パネル４に取付けられ、同様に、右側扉パネル８はヒンジ体３８ａ，３８ｂを介して右側パネル５に取付けられている。
【００２２】
図１，図７，図８に示すように、上記各ヒンジ体３８ａ，３８ｂはそれぞれ、第１円筒部４１と、第２円筒部４２と、これら両円筒部４１，４２間に連設された平坦部４３とを有している。また、上記各ヒンジ体３８ａ，３８ｂはそれぞれ、第１円筒部４１の軸心４４と第２円筒部４２の軸心４５とを含む縦断面に添って、一方の本体部４６と他方の本体部４７とに分割されている。
【００２３】
そして、一方の本体部４６と他方の本体部４７との第１円筒部４１側に位置する端部（一端部）同士が開閉自在に一体につながっており、一方の本体部４６と他方の本体部４７との第２円筒部４２側に位置する端部（他端部）同士を閉じることによって上記両円筒部４１，４２が形成される。
【００２４】
また、上記平坦部４３にはネジ孔４８が上下一対形成され、一方の本体部４６と他方の本体部４７とを閉じた場合、一方の本体部４６の平坦部４３と他方の本体部４７の平坦部４３とが当接するとともに、一方の本体部４６のネジ孔４８と他方の本体部４７のネジ孔４８とが一致する。さらに、一方の本体部４６の他端部には、両本体部４６，４７を閉じた際、他方の本体部４７の他端部の外側に重複する重複片４９が形成されている。図８に示すように、両本体部４６，４７を閉じた状態で各ネジ孔４８にネジ５０を挿通しナット５１で締め付けることによって、両本体部４６，４７が閉じた状態で固定される。尚、上記ネジ５０，ナット５１は固定具の一例である。
【００２５】
上記第１円筒部４１は、左側および右側パネル４，５の各前端縦部材１５に、水平回動自在に外嵌されている。また、第２円筒部４２は、左側および右側扉パネル７，８の各基端縦部材３６に、水平回動自在に外嵌されている。尚、上記第１円筒部４１と前端縦部材１５との間には樹脂製の円筒状の保護スリーブ５２が介装され、また、第２円筒部４２と基端縦部材３６との間にも樹脂製の円筒状の保護スリーブ５３が介装されている。
【００２６】
図１，図２，図８に示すように、上記第１円筒部４１の上下両端部にはそれぞれ上部第１切欠部５５ａと下部第１切欠部５５ｂとが形成されている。これら第１切欠部５５ａ，５５ｂはそれぞれ第１円筒部４１の周方向へほぼ３／４の範囲にわたり形成されている。
【００２７】
また、上記第２円筒部４２の上下両端部にはそれぞれ上部第２切欠部５６ａと下部第２切欠部５６ｂとが形成されている。これら第２切欠部５６ａ，５６ｂはそれぞれ第２円筒部４２の周方向へ扇状の範囲にわたり形成されている。
【００２８】
図１，図２，図９に示すように、左側の上部のヒンジ体３８ａの下部第１切欠部５５ｂには上記左側パネル４の上位の中間横部材１１が嵌入され、かつ、上部第２切欠部５６ａには左側扉パネル７の上位の中間横部材３２が嵌入されている。これにより、上記左側の上部のヒンジ体３８ａは左側パネル４の上位の中間横部材１１によって支持され、上記左側扉パネル７は上記ヒンジ体３８ａによって支持される。
【００２９】
また、図９に示すように、左側の下部のヒンジ体３８ｂの上部第１切欠部５５ａには上記左側パネル４の下位の中間横部材１１が嵌入され、かつ、下部第２切欠部５６ｂには左側扉パネル７の下位の中間横部材３２が嵌入されている。これにより、上記左側の下部のヒンジ体３８ｂは左側扉パネル７の下位の中間横部材３２によって支持されている。
【００３０】
図１，図２に示すように、上記左側扉パネル７を閉じた場合、上部のヒンジ体３８ａの下部第１切欠部５５ｂの一側端Ａが上位の中間横部材１１に当接することにより、左側パネル４に対する上部のヒンジ体３８ａの閉方向Ｓへの回動が規制されるとともに、下部のヒンジ体３８ｂの上部第１切欠部５５ａの一側端Ａが下位の中間横部材１１に当接することにより、左側パネル４に対する下部のヒンジ体３８ｂの閉方向Ｓへの回動が規制され、さらに、左側扉パネル７の上位の中間横部材３２が上部のヒンジ体３８ａの上部第２切欠部５６ａの一側端Ｂに当接するとともに左側扉パネル７の下位の中間横部材３２が下部のヒンジ体３８ｂの下部第２切欠部５６ｂの一側端Ｂに当接することにより、ヒンジ体３８ａ，３８ｂに対する左側扉パネル７の閉方向Ｓへの回動が規制される。
【００３１】
また、図５，図６に示すように、左側扉パネル７を開いた場合、上部のヒンジ体３８ａの下部第１切欠部５５ｂの他側端Ｃが上位の中間横部材１１に当接することにより、左側パネル４に対する上部のヒンジ体３８ａの開方向Ｏへの回動が規制されるとともに、下部のヒンジ体３８ｂの上部第１切欠部５５ａの他側端Ｃが下位の中間横部材１１に当接することにより、左側パネル４に対する下部のヒンジ体３８ｂの開方向Ｏへの回動が規制され、さらに、左側扉パネル７の上位の中間横部材３２が上部のヒンジ体３８ａの上部第２切欠部５６ａの他側端Ｄに当接するとともに左側扉パネル７の下位の中間横部材３２が下部のヒンジ体３８ｂの下部第２切欠部５６ｂの他側端Ｄに当接することにより、ヒンジ体３８ａ，３８ｂに対する左側扉パネル７の開方向Ｏへの回動が規制される。
【００３２】
これにより、左側扉パネル７は、図１，図２に示すように左側パネル４に対して直交する閉位置と、図５，図６に示すように左側パネル４の外側方にほぼ平行に並ぶ開位置との範囲で水平回動自在となる。
【００３３】
また、上記左側扉パネル７と同様に、右側扉パネル８も、上部のヒンジ体３８ａと下部のヒンジ体３８ｂとによって、図１２の実線で示すように右側パネル５に対して直交する閉位置と、図１２の仮想線で示すように右側パネル５の外側方にほぼ平行に並ぶ開位置との範囲で水平回動自在となる。
【００３４】
また、図１０に示すように、上記右側扉パネル８の前面には、左側扉パネル７と右側扉パネル８とを閉位置で固定する閂部材６０が複数設けられている。これら閂部材６０は、左側扉パネル７に設けられたフック６１に係合するロック位置と、上記フック６１から脱抜して左側扉パネル７の前方から右側扉パネル８の前方へ退避するロック解除位置との間で回動自在となっている。
【００３５】
以下に、上記構成における作用を説明する。
【００３６】
物品収納部９に対して物品２を出し入れする場合、先ず、図１０の仮想線で示すように、閂部材６０をフック６１から脱抜しロック解除位置まで回動させ、その後、図１２の仮想線で示すように、左および右側扉パネル７，８を開く。
【００３７】
例えば、左側扉パネル７を開いた場合、図３，図４に示すように、左側扉パネル７の上位の中間横部材３２が上部のヒンジ体３８ａの上部第２切欠部５６ａの他側端Ｄに当接するとともに左側扉パネル７の下位の中間横部材３２が下部のヒンジ体３８ｂの下部第２切欠部５６ｂの他側端Ｄに当接することにより、ヒンジ体３８ａ，３８ｂに対する左側扉パネル７の開方向Ｏへの回動が規制される。
【００３８】
さらに、図５，図６に示すように、上部のヒンジ体３８ａの下部第１切欠部５５ｂの他側端Ｃが左側パネル４の上位の中間横部材１１に当接することにより、左側パネル４に対する上部のヒンジ体３８ａの開方向Ｏへの回動が規制されるとともに、下部のヒンジ体３８ｂの上部第１切欠部５５ａの他側端Ｃが下位の中間横部材１１に当接することにより、左側パネル４に対する下部のヒンジ体３８ｂの開方向Ｏへの回動が規制される。
【００３９】
これにより、左側扉パネル７は、左側パネル４の外側方にほぼ平行に並ぶ開位置まで水平回動され、開かれる。また、左側扉パネル７と同様に、右側扉パネル８は、右側パネル５の外側方にほぼ平行に並ぶ開位置まで水平回動され、開かれる。この状態で、物品収納具１の前方から物品収納部９に対して物品２を出し入れすることができる。
【００４０】
また、左側扉パネル７を閉じた場合、図１，図２に示すように、左側扉パネル７の上位の中間横部材３２が上部のヒンジ体３８ａの上部第２切欠部５６ａの一側端Ｂに当接するとともに左側扉パネル７の下位の中間横部材３２が下部のヒンジ体３８ｂの下部第２切欠部５６ｂの一側端Ｂに当接することにより、ヒンジ体３８ａ，３８ｂに対する左側扉パネル７の閉方向Ｓへの回動が規制される。
【００４１】
さらに、上部のヒンジ体３８ａの下部第１切欠部５５ｂの一側端Ａが左側パネル４の上位の中間横部材１１に当接することにより、左側パネル４に対する上部のヒンジ体３８ａの閉方向Ｓへの回動が規制されるとともに、下部のヒンジ体３８ｂの上部第１切欠部５５ａの一側端Ａが下位の中間横部材１１に当接することにより、左側パネル４に対する下部のヒンジ体３８ｂの閉方向Ｓへの回動が規制される。
【００４２】
これにより、左側扉パネル７は、左側パネル４に対して直交する閉位置まで水平回動され、閉じられる。また、左側扉パネル７と同様に、右側扉パネル８は、図１２の実線で示すように、右側パネル５に対して直交する閉位置まで水平回動され、閉じられる。この状態で、図１０の実線で示すように、閂部材６０をロック位置まで回動させてフック６１に係合させることによって、左側扉パネル７と右側扉パネル８とが閉位置で固定される。
【００４３】
このように、左および右側パネル４，５を構成する中間横部材１１と左および右側扉パネル７，８を構成する中間横部材３２とによって、各ヒンジ体３８ａ，３８ｂおよび各扉パネル７，８の水平回動範囲（開閉範囲）が規制されるため、上記水平回動範囲を規制するための特別な規制用付属品が不要になる。
【００４４】
また、物品収納具１を保管する場合、図１２の仮想線で示すように、左および右側扉パネル７，８を開位置まで回動し、その後、図１３の実線で示すように、底体３を跳ね上げて後側パネル６の前面側へ折畳み、さらに、後部縦軸心２９を中心にして、右側パネル５を右側扉パネル８と共に後側パネル６の前面側へ回動させて折畳む。これにより、物品収納具１は平面視でＬ形状に折り畳まれるため、狭い保管スペースで多数の物品収納具１を効率良く保管することができる。
【００４５】
また、各ヒンジ体３８ａ，３８ｂを装着する際、図７に示すように、一方の本体部４６の他端部と他方の本体部４７の他端部とを開いた状態で、これら両本体部４６，４７間に前端縦部材１５と基端縦部材３６とを位置させ、上記両本体部４６，４７の他端部同士を閉じる。これにより、第１円筒部４１が前端縦部材１５に外嵌されるとともに第２円筒部４２が基端縦部材３６に外嵌される。そして、図８に示すように、ネジ５０をネジ孔４８に挿通してナット５１で締め付けることにより、両本体部４６，４７が閉じた状態で固定され、各ヒンジ体３８ａ，３８ｂが装着される。
【００４６】
この際、一方の本体部４６と他方の本体部４７との一端部同士が一体につながっているため、一方の本体部４６と他方の本体部４７とが位置ずれするようなことはなく、したがって、一方の本体部４６のネジ孔４８の位置と他方の本体部４７のネジ孔４８の位置とがずれることなく正確に一致し、これにより、各ヒンジ体３８ａ，３８ｂを迅速に装着することができ、さらに、部品の種類を１種類に減らすことができる。尚、装着された左側の上部のヒンジ体３８ａは左側パネル４の中間横部材１１に支持され、下部のヒンジ体３８ｂは左側扉パネル７の中間横部材３２に支持され、右側の上部のヒンジ体３８ａは右側パネル５の中間横部材１１に支持され、下部のヒンジ体３８ｂは右側扉パネル８の中間横部材３２に支持される。
【００４７】
また、第１円筒部４１と前端縦部材１５とは保護スリーブ５２によって直接に摺接することはなく、このため、前端縦部材１５に傷が付くことを防止することができる。同様に、第２円筒部４２と基端縦部材３６とは保護スリーブ５３によって直接に摺接することはなく、このため、基端縦部材３６に傷が付くことを防止することができる。
【００４８】
上記実施の形態では、物品収納具１の前部に扉パネル７，８を設け、後部に後側パネル６を設けているが、後側パネル６と同構造の前側パネルを物品収納具１の前部に設け、後部に扉パネル７，８を設けてもよい。また、物品収納具１の前後にそれぞれ扉パネル７，８を設けてもよい。さらには、物品収納具１の左右にそれぞれ扉パネル７，８を設けてもよい。
【００４９】
上記実施の形態では、左側扉パネル７と右側扉パネル８を観音開き形式で開閉しているが、左側扉パネル７と右側扉パネル８とのいずれか片方の扉パネルのみを設けた片開き形式であってもよい。
【００５０】
【発明の効果】
以上のように本第１発明によれば、側体を構成する横部材と扉体を構成する横部材とによって、ヒンジ体および扉体の水平回動範囲が規制されるため、上記水平回動範囲を規制するための特別な規制用付属品が不要になる。これにより、付属品の製作や取付けの手間が省け、部品点数の削減を図ることができる。
【００５１】
また、本第２発明によれば、ヒンジ体を取付ける際、一方の本体部と他方の本体部との一端部同士が一体につながっているため、一方の本体部と他方の本体部とが位置ずれするようなことはなく、したがって、迅速にヒンジ体を取付けることができ、さらに、部品の種類を１種類に減らすことができる。
【図面の簡単な説明】
【図１】本発明の実施の形態における物品収納具のヒンジ体の斜視図であり、扉パネルを閉じた状態を示す。
【図２】図１におけるＸ−Ｘ矢視図である。
【図３】同、物品収納具のヒンジ体の斜視図であり、ヒンジ体に対して扉パネルを開方向へ回動した状態を示す。
【図４】図３におけるＸ−Ｘ矢視図である。
【図５】同、物品収納具のヒンジ体の斜視図であり、扉パネルを開いた状態を示す。
【図６】図５におけるＸ−Ｘ矢視図である。
【図７】同、物品収納具のヒンジ体の装着前の平面図である。
【図８】同、物品収納具のヒンジ体の装着状態での平面図である。
【図９】同、物品収納具の斜視図である。
【図１０】同、物品収納具の正面図である。
【図１１】同、物品収納具の左側面図である。
【図１２】同、物品収納具の平面図である。
【図１３】同、物品収納具を折畳んだ状態の平面図である。
【符号の説明】
１    物品収納具
２    物品
３    底体
４    左側パネル（側体）
５    右側パネル（側体）
７    左側扉パネル（扉体）
８    右側扉パネル（扉体）
９    物品収納部
１１    中間横部材
１５    前端縦部材
３２    中間横部材
３６    基端縦部材
３８ａ，３８ｂ    ヒンジ体
４１    第１円筒部
４２    第２円筒部
４６    一方の本体部
４７    他方の本体部
５０    ネジ（固定具）
５１    ナット（固定具）
５５ａ，５５ｂ    第１切欠部
５６ａ，５６ｂ    第２切欠部
【図１】
0003603634.tif 000002
【図２】
0003603634.tif 000003
【図３】
0003603634.tif 000004
【図４】
0003603634.tif 000005
【図５】
0003603634.tif 000006
【図６】
0003603634.tif 000007
【図７】
0003603634.tif 000008
【図８】
0003603634.tif 000009
【図９】
0003603634.tif 000010
【図１０】
0003603634.tif 000011
【図１１】
0003603634.tif 000012
【図１２】
0003603634.tif 000013
【図１３】
0003603634.tif 000014